(57)【要約】【課題】従来のペット洗浄用のシンクは、作業者が一方の手でシャワー等の水吐出手段を持って水等をペットに向けて噴射し、他方の手でシンク内でペットが動くのを制止しつつペットの体の表面を洗浄する必要があるため、ペットの体の隅々まで丁寧にシャンプー等の洗浄剤で洗浄し、洗い流すには相当の時間を要し、作業が繁雑かつ面倒であった。【解決手段】多目的シンク１のシンク部２の手前側から奥側に向けて水、温水、水と洗浄剤を混合したもの、または温水と洗浄剤を混合したもののいずれかを吐出する水吐出手段７を設けた。【選択図】        図１
2004285734.tif 000002
【特許請求の範囲】
【請求項１】
シンク部の手前側から奥側に向けて水、温水、水と洗浄剤を混合したもの、または温水と洗浄剤を混合したもののいずれかを吐出する水吐出手段を備える多目的シンク。
【請求項２】
前記シンク部に水滴飛散防止用のカバーを設けたことを特徴とする請求項１に記載の多目的シンク。
【発明の詳細な説明】
【０００１】
【発明の属する技術分野】
本発明は、犬や猫等のペットの洗浄、あるいはペットの食器の洗浄、土が付着したままの野菜、雑巾、灰皿等の洗浄の目的で、住居やその他建物の外部または内部に設けられる多目的シンクの技術に関する。
【０００２】
【従来の技術】
従来、一般家庭で飼育されている犬や猫等のペットを洗浄する場合、最も大きな洗浄スペースを有する風呂場で洗うのが一般的であった。また、散歩から帰ってきたペットを屋内に入れる前に洗浄するために、住居の外部にシンクを設ける技術は公知となっている。例えば、特許文献１に記載の如くである。
【０００３】
【特許文献１】
特開２００２−４６０６号公報
【０００４】
【発明が解決しようとする課題】
従来のペット洗浄用のシンクは、作業者が一方の手でシャワー等の水吐出手段を持って水等をペットに向けて噴射し、他方の手でシンク内でペットが動くのを制止しつつペットの体の表面を洗浄する必要がある。
しかし、このようなシンクでペットを洗浄しようとすると、シャンプー等の洗浄剤を用いて洗浄する際には、作業者が一方の手でペットが動かないように抱きかかえ、他方の手だけで洗浄するため、ペットの体の隅々まで丁寧に洗浄するには相当の時間を要し、作業が繁雑かつ面倒であった。また、シャンプー等の洗浄剤を洗い流す際にも、作業者が一方の手でペットが動かないように抱きかかえ、他方の手だけでシャワー等の水吐出手段を持ってペットの体に水を吹き付けるので、ペットの体の隅々まで丁寧に洗い流すには相当の時間を要し、作業が繁雑かつ面倒であった。
さらに、シャワー等の水吐出手段を係止してペットに向けて水等を噴射することも考えられるが、従来のシンクの場合、通常は該水吐出手段の係止手段はシンクの奥側（作業者の作業位置からシンクを挟んで対面する位置）に設けられている上に、ペットは往々にして洗浄中に体を振るわせ、水滴を周囲に飛散させる場合があり、水を噴射する方向を工夫しないと作業者自身も濡れてしまうといった問題があった。
また、ペットの他にも、田畑から収穫した直後で土が付着したままの野菜や、ペットの食器類や、雑巾、灰皿の洗浄等の目的で該シンクを使用する場合にも、ペットを洗浄する場合と同様、両手で洗浄可能、かつ水滴の飛散を防止可能なシンクが求められている。
本発明は以上の如き状況に鑑み、両手で洗浄可能、かつ水滴の飛散を防止可能なシンクを提供するものである。
【０００５】
【課題を解決するための手段】
本発明の解決しようとする課題は以上の如くであり、次にこの課題を解決するための手段を説明する。
【０００６】
即ち、請求項１においては、シンク部の手前側から奥側に向けて水、温水、水と洗浄剤を混合したもの、または温水と洗浄剤を混合したもののいずれかを吐出する水吐出手段を備えるものである。
【０００７】
請求項２においては、前記シンク部に水滴飛散防止用のカバーを設けたものである。
【０００８】
【発明の実施の形態】
次に、発明の実施の形態を説明する。
図１は多目的シンクの第一実施例の斜視図、図２は多目的シンクの第一実施例の側面一部断面図、図３は多目的シンクの第二実施例の斜視図、図４は多目的シンクの第二実施例の側面一部断面図である。
【０００９】
以下では、図１および図２を用いて本発明の多目的シンクの第一実施例である多目的シンク１の詳細構成について説明する。
【００１０】
多目的シンク１は主にシンク部２、奥板３、側板４Ｌ・４Ｒ、上収納部５、下収納部６、水吐出手段７、水吐出量操作手段８、排水管９等で構成される。
多目的シンク１は奥板３と側板４Ｌ・４Ｒとで平面視略コの字型の構造体が形成され、該構造体の内部空間上部に上収納部５、内部空間下部に下収納部６が配置される。該構造体においてコの字型の開口部は作業者が立った姿勢または座った姿勢で作業する位置（作業位置）であり、上収納部５および下収納部６の開閉扉は該作業位置に向けて開口可能に構成される。上収納部５および下収納部６には多目的シンク１によるペットの洗浄作業等に用いられる道具類（タオル、洗剤、石鹸、ドライヤー、ブラシなど）が収納保管される。また下収納部６には後述するフレキシブルホース１２、電気式温水器１３等も収納される。
【００１１】
シンク部２は下収納部６の上部に設けられる。シンク部２の底面２ｂには排水口２ａが穿設され、排水管９の一端と連通されている。一方、排水管９の他端は多目的シンク１が設置される建物等の下水配管と連通されている。シンク部２の形状は小型犬や中型犬が入る程度の大きさであり、その底面２ｂはペットが立った姿勢を維持するのを容易とするためにフラット（略平面状）に成形され、少なくとも水が底面２ｂに溜まらず排水口２ａに向かって流れる程度の傾斜は有している。
なお、図２に示す如くシンク部２の底面２ｂ上に滑り止めのための簀子１０を着脱可能に配置して、該簀子１０上にペットを立たせるようにしてもよい。
【００１２】
シンク部２の手前側（すなわち、作業位置に面している側）には、水吐出手段７が設けられる。本実施例においては、水吐出手段７はシャワー（普通吐水に切り替えられるように構成することもできる）であり、係止部材１１によりシンク部２の手前側に着脱可能に係止される。
水吐出手段７はフレキシブルホース１２により後述する調整弁２２を介して電気式温水器（温水タンク）１３の吐水口１３ａと接続される。
水吐出手段７を係止部材１１に係止して使用するときは、該フレキシブルホース１２を下収納部６内に収納する。このとき、水吐出手段７の先端部（水または温水が吐出される部分）は、シンク部２の手前側から奥側（奥板３に面する側）に向けて係止され、該水吐出手段７から水または温水を吐出したときに、水滴が手前側に飛散するのを防止している。
なお、水吐出手段７の先端部の上下角度、上下方向の係止高さ、平面視での旋回方向を変更可能とするべく係止部材１１を構成することも可能である。
【００１３】
このように構成することにより、作業者は一方の手で水吐出手段７を支持せずともシンク部２の手前側から奥側に向けて水または温水を吐出することが可能である。従って、両手を同時に使ってペット等の洗浄を行うことが可能となり、ペット等の洗浄を隅々まで丁寧に行うことが容易となるとともに、洗浄時間を短縮することができる。
また、シンク部２の手前側から奥側に向けて水または温水を吐出することから、水滴が作業者の方に飛散することを防止することが可能である。
【００１４】
一方、水吐出手段７を係止部材１１から取り外し、作業者が水吐出手段７を手に持って使用するときは、シンク部２の手前側上面と下収納部６内部とを貫通する引き出し孔からフレキシブルホース１２を引き出す。従って、作業者はフレキシブルホース１２の長さの範囲で水吐出手段７を手に持って任意の位置に移動させることが可能である。
【００１５】
電気式温水器１３は下収納部６の内部に収納され、その給水口１３ｂは建物の上水配管と接続される。電気式温水器１３は吸水口１３ｂから電気式温水器１３の内部に供給された常温水を高温に加熱した状態で貯溜し、水吐出量操作手段８の操作により高温の温水を吐水口１３ａから吐出する。
なお、本実施例の多目的シンク１に湯または温水を供給する手段としては、一般的な屋外設置型のガス給湯器等でも良く、電気式温水器１３に限定されない。このとき、使用時にすぐに給湯可能であることが求められる場合は、電気式温水器１３が適している。
【００１６】
水吐出量操作手段８はシンク部２の奥側上面の左右一側（本実施例では左側）に設けられ、該水吐出量操作手段８は図示しない連動手段により調整弁２２と連動連結されている。該水吐出量操作手段８は、本実施例においてはシングルレバー式であり、レバー部分の上下回動および左右旋回により、調整弁２２内における常温水側の弁の開度と高温水側の弁の開度とを変更し、該調整弁２２よりも下流側での高温水と常温水との混合比および吐出量を調節する。従って、水吐出量操作手段８により選択された温度および吐出量で水吐出手段７から温水を吐出することが可能である。
なお、水吐出量操作手段８は本実施例に限定されず、水吐出手段７から吐出される水または温水の温度および吐出量を調節可能であればよい。
【００１７】
奥板２の作業者と対向する面には、上収納部５の下面に配設された電灯１７のオン・オフを切り替えるスイッチ１４、ドライヤー等の電気機器を使用するためのコンセント１５・１５、タオル等を掛けるためのバー１６等も設けられる。また、必要に応じて奥板２に鏡を設けても良い。
【００１８】
また、本実施例においてはシンク部２の上面（開口部）にカバー１８が設けられている。カバー１８はシンク部２内でペット等を洗浄する際に水滴が飛散するのを防止するためのものであり、樹脂やプラスチック等の軽く、透明な材質で形成される。また、カバー１８は左右に回動支点１８ａ・１８ｂを有し、シンク部２の左右側面に回動可能に枢支される。従って、カバー１８はシンク部２の上面手前側（作業者側）をカバーする位置と、シンク部２の上面奥側に退避した位置との間で前後に回動可能に構成される。
ペット等をシンク部２内に移動させた後、カバー１８を手前側へ回動し、続いて水吐出量操作手段８を操作して水吐出手段７から水または温水を吐出し、ペットに噴射しつつ洗浄を行う。
このとき、係止手段１１に係止された水吐出手段７はカバー１８と干渉せずにカバー１８の内側に位置し、かつ作業者はカバー１８の左右から両方の手をシンク部２内に挿入することが可能にカバー１８の形状が定められている。
また、水吐出量操作手段８はカバー１８と干渉せず、かつカバー１８の外側に位置するように水吐出量操作手段８の形状および配設位置が定められている。本実施例の場合、水吐出量操作手段８はシンク部２の上面左奥側に配置されている。
このように構成することにより、両方の手を使ってペット等の洗浄を行うことが可能であり、かつ水滴の飛散を防止する効果が向上する。
なお、使用状況によってはカバー１８を省略してもよく、またカバー１８を多目的シンク１から着脱可能としてもよい。
【００１９】
以下では、図３および図４を用いて本発明の多目的シンクの第二実施例である多目的シンク３１の詳細構成について説明する。
【００２０】
多目的シンク３１は主にシンク部３２、奥板３３、側板３４Ｌ・３４Ｒ、上収納部３５、下収納部３６、水吐出手段３７、水吐出量操作手段３８、排水管３９等で構成され、その他にも簀子４０、係止部材４１、フレキシブルホース４２、電気式温水器４３、スイッチ４４、コンセント４５・４５、バー４６、電灯４７等が設けられている。これらの部材は、第一実施例である多目的シンク１と略同じ機能を有する。
【００２１】
第二実施例は、水滴が飛散するのを防止するためのカバーの形状が第一実施例と異なっている。すなわち、第二実施例である多目的シンク３１の奥板３３の作業者と対向する面の上下中途部にはカバー回動軸４９が設けられ、上カバー５０と下カバー５１とで構成されるカバー４８がカバー回動軸４９に回動可能に枢支される。また、着脱可能とすることもできる。つまり、不要のときは取り外すように構成することができ、交換も容易にできる。
上カバー５０は板状の部材であり、樹脂やプラスチック等の軽く、透明な材質で形成される。上カバー５０の一端はカバー回動軸４９に回動可能に枢支され、上カバー５０の他端は下カバー５１の一端と回動可能に枢支される。下カバー５１も板状の部材であり、樹脂やプラスチック等の軽く、透明な材質で形成される。なお、下カバー５１とシンク部３２手前上面との間にフック等の係止手段を設けて確実に固定できる構成とすることもできる。
従って、カバー４８は、下カバー５１の下端部（上カバー５０と枢支されてない側の端部）をシンク部２の手前側上面に固定した位置（シンク部２からの水滴の飛散をカバーする位置）と、上カバー５０と下カバー５１との枢支点においてカバー４８を側面視二つ折りにして退避させた位置（奥板３３側に回動させた位置）との二つの位置（姿勢）をとることが可能である。
【００２２】
ペット等をシンク部３２内に移動させた後、カバー４８を手前側へ回動し、続いて水吐出量操作手段３８を操作して水吐出手段３７から水または温水を吐出し、ペットに噴射しつつ洗浄を行う。
このとき、係止手段４１に係止された水吐出手段３７はカバー４８と干渉せずにカバー４８の内側に位置し、かつ作業者はカバー４８の左右から両方の手をシンク部３２内に挿入することが可能にカバー４８の形状が定められている。
また、水吐出量操作手段３８はカバー４８と干渉せず、かつカバー４８の外側に位置するように水吐出量操作手段３８の形状および配設位置が定められている。本実施例の場合、水吐出量操作手段３８はシンク部３２の上面左奥側に配置されている。
このように構成することにより、両方の手を使ってペット等の洗浄を行うことが可能であり、かつ水滴の飛散を防止する効果が向上する。
【００２３】
なお、水吐出手段については、本発明の第一実施例における水吐出手段７および第二実施例における水吐出手段３７（すなわち、シンク部の手前側に着脱可能にシャワーを係止した場合）に限定されず、シンク部の手前側壁面にノズルまたは孔（単数でも複数でも良い）を設け、該ノズルの先端または孔よりシンク部内の手前側から奥側に向けて水または温水を噴出してもよい。
また、シンク部の手前側から奥側に向けて水または温水を噴出する水吐出手段の他にも、シンク部の奥側や左右側面に別の水吐出手段（シャワーやカラン等）を設けても良く。また、係止部材１１をシンク部２の手前側だけでなく奥板３または側板４Ｌ・４Ｒに設けることもでき、また取付高さも異なる位置に設けることもできる。この場合洗浄する対象物に応じて変更することができる。
【００２４】
また、本実施例では温水を供給する手段として電気式温水器１３（３３）を用いたが、これに限定されず、外部の給湯器等から高温の温水を供給してもよい。さらに、本発明の第一実施例および第二実施例では、水吐出手段７（３７）から吐出されるのは水または温水であったが、調整弁２２（５２）より下流側の配管中途部より洗浄剤を混合するようにして、洗浄液として吐出しても良い。
【００２５】
【発明の効果】
本発明は、以上のように構成したので、以下に示すような効果を奏する。
【００２６】
即ち、請求項１に示す如く、シンク部の手前側から奥側に向けて水、温水、水と洗浄剤を混合したもの、または温水と洗浄剤を混合したもののいずれかを吐出する水吐出手段を備えるので、作業者は一方の手で水吐出手段を支持せずともシンク部の手前側から奥側に向けて水または温水を吐出することが可能である。従って、両手を同時に使ってペット等の洗浄を行うことが可能となり、ペット等の洗浄を隅々まで丁寧に行うことが容易となるとともに、洗浄時間を短縮することができる。
また、シンク部の手前側から奥側に向けて水または温水を吐出することから、水滴が作業者の方に飛散することを防止することが可能である。
【００２７】
請求項２に示す如く、前記シンク部に水滴飛散防止用のカバーを設けたので、両方の手を使ってペット等の洗浄を行うことが可能であり、かつ水滴の飛散を防止する効果が向上する。
【図面の簡単な説明】
【図１】多目的シンクの第一実施例の斜視図。
【図２】多目的シンクの第一実施例の側面一部断面図。
【図３】多目的シンクの第二実施例の斜視図。
【図４】多目的シンクの第二実施例の側面一部断面図。
【符号の説明】
１  多目的シンク
２  シンク部
７  水吐出手段（吐出手段）
１８  カバー
【図１】
2004285734.tif 000003
【図２】
2004285734.tif 000004
【図３】
2004285734.tif 000005
【図４】
2004285734.tif 000006